(57)【要約】  環状に配列された光源を有するリングライト照明器が開示される。集光器と、光源からの光に対する均一化手段と、均一化手段の出力を照明エリアに結像するための結像手段とを備えるビームシェーパーが、各光源に対応する。様々な実施形態において、均一化手段は、集光器からの光が誘導される棒状体である。集光器の反対側にある棒状体の端部は、結像手段により照明エリアに結像される。
2013525856.tif 000002
【特許請求の範囲】
【請求項１】
環状に配列された複数の光源と、
前記光源のそれぞれへ割り当てられたビームシェーパーと、
前記光源のそれぞれからの光を収集するための集光器と、
前記光源のそれぞれからの光に対する、前記集光器に後続する均一化手段と、
前記均一化手段の出力を照明エリアに結像するための結像手段と、
を備えるリングライト照明器。
【請求項２】
前記均一化手段は棒状体である、請求項１に記載のリングライト照明器。
【請求項３】
前記棒状体および前記集光器はともに一体ピースユニットを形成する、請求項２に記載のリングライト照明器。
【請求項４】
前記棒状体、前記集光器、および前記結像手段はともに一体ピースユニットを形成する、請求項２に記載のリングライト照明器。
【請求項５】
前記均一化手段の均一化機能は前記棒状体内における光の全反射に基づく、請求項２に記載のリングライト照明器。
【請求項６】
前記結像手段は結像レンズである、請求項１に記載のリングライト照明器。
【請求項７】
前記結像レンズは非球面射出表面を有する、請求項６に記載のリングライト照明器。
【請求項８】
前記均一化手段は前記集光器上に提供されたテクスチャである、請求項１に記載のリングライト照明器。
【請求項９】
前記光源のそれぞれは少なくとも１つの発光ダイオード（ＬＥＤ）を備える、請求項１に記載のリングライト照明器。
【請求項１０】
前記リングライト照明器は複数の冷却フィンを示す、請求項１に記載のリングライト照明器。
【請求項１１】
光源からの光を収集するための集光器と、
前記光源からの前記光を均一化するための均一化棒状体と、
前記集光器の反対側にある前記均一化棒状体の端部を照明エリアに結像するためのレンズであって、前記集光器、前記均一化棒状体、および前記結像のためのレンズは一体ピースとして製造された、レンズと、
を備えるビームシェーパー。
【請求項１２】
前記ビームシェーパーはプラスチック材料から成形された、請求項１１に記載のビームシェーパー。
【請求項１３】
前記ビームシェーパーはガラスから作られた、請求項１１に記載のビームシェーパー。
【請求項１４】
前記結像のためのレンズは、前記均一化棒状体を照明エリア上に結像するために非球面射出表面を有する、請求項１１に記載のビームシェーパー。
【発明の詳細な説明】
【技術分野】
【０００１】
関連出願の相互参照
本特許出願は、２０１０年４月２８日に出願された米国仮特許出願第６１／３２８，８６９号の優先権を主張するものであり、米国仮特許出願第６１／３２８，８６９号は、引用することにより本願に援用される。
【０００２】
本発明はリングライト照明器に関する。
【０００３】
本発明はビームシェーパーにも関する。
【背景技術】
【０００４】
多数の光学検査または結像作業においては、検査または結像されるエリアの照明が明確に画定されることが要求される。係る多数の照明目的のために、例えば、顕微鏡検査においては、リングライトが用いられる。係る照明目的においては、リングライトが暗視野照明を提供するための一般的な手段となっている。係る用途においては、照明されるエリアを目的エリアに限定すること、および光の分布が目的エリア内で均一となることが、望ましい。可能な光源は、例えば、アーク灯、ＬＥＤ（ｌｉｇｈｔ  ｅｍｉｔｔｉｎｇ  ｄｉｏｄｅ：発光ダイオード）、レーザダイオード、ハロゲン電球である。アーク灯は、一般にＬＥＤよりも高い光強度を提供するが、その一方で、ＬＥＤよりも強度変動がより強く、寿命もより短いものとなっている。したがって、ＬＥＤがより好適な光源の選択である。典型的なＬＥＤからの光はＬＥＤの周囲の半球体へと放出されるため、１つまたは複数のＬＥＤから放出された光を可能な限り大量に目的エリア（すなわち照明されるエリア）へ誘導するための光学エレメントが要求される。
【０００５】
欧州特許出願第１９１９００１（Ａ１）号は、ＬＥＤが光源として用いられる製品検査用スポットライト装置に関する。光の分布を一定エリアにわたって均一化するために、ＬＥＤからの光はロッドレンズを通される。ＬＥＤからの光は、集光レンズによりロッドレンズに導入される。ロッドレンズと集光レンズの適切な位置合わせを確保するために、および、光学系を組み立てる際に取り扱われる個々のパーツの個数を削減するためにも、ロッドレンズおよび集光レンズは光ユニットの区域として提供される。すなわち、ロッドレンズは光伝達区域を構成し、集光レンズは集光区域を構成する。集光区域においては、光源からの光を伝達区域へと誘導するために、屈折と反射とが組み合わされる。
【０００６】
欧州特許出願第２１７７８１６（Ａ２）号においては、光源（特にＬＥＤ）のアレイが開示される。なお、この光源アレイの光は棒状体（ロッド）として形づくられた光集積器に誘導される。この光集積器は、集積器内の光の反射に基づいて、光を均一化および拘束する。光集積器は、反射する内側表面を有する中空管または光学的に透明な物質から作られた中実の棒状体であり得る。なお、光集積器内における光の反射は全反射によるものである。光集積器の断面は、円形、多角形、または不定形であり得る。さらなる光学エレメントが、光集積器の下流側に提供されてもよい。光源からの光を制御および誘導するために、光学エレメントが各光源に対応してもよい。光集積器は、光集積器から出る光の発散に影響を及ぼすために、テーパ形状を取り得る。
【０００７】
欧州特許出願第１１５０１５４（Ａ１）号においては、好適にはＬＥＤである複数の光源が環状の坦持体（キャリヤー）に配列された、特に顕微鏡用の照明システムが開示される。ＬＥＤは、個別的にまたは集合的に制御され、小さい放出角を呈する。
【０００８】
独国特許出願第２８５２２０３号においては、顕微鏡用の照明装置が開示される。なお、この装置においては、光源からの光は、光ファイバに沿って案内され、光ファイバの各端部において光ファイバから出る。また、各端部は環状に配列される。光ファイバに基づくさらなるリング照明システムが、例えば、独国特許出願第４０１６２６４号において開示される。
【０００９】
光ファイバに基づくリング照明システムの問題点は、光ファイバから出る光の発散が大きくなることである。同様に、ＬＥＤの環状配列も、むしろ不均一な照明野を作る傾向を有し、係るＬＥＤがたとえ現状技術の集光レンズと組み合わせて用いられたとしても、いくつかの用途に対して要求される照明野の均一度は達成され得ない。
【００１０】
リングライトは本質的に多くの場合散乱光が観察対象となる「暗視野」照明であるために、最大光強度がリングライトに対する極めて重要な設計パラメータである。アーク灯（通常の顕微鏡観察の高輝度照明における標準）と比較してＬＥＤの主な短所は、ＬＥＤが典型的に照度調整器であることである。多くの場合、ＬＥＤに基づくシステムは、観察対象において適切な光強度を提供せず、画像において可能な光を最大化するためには、設計において極度の注意が払われなければならない。光を最大化することは、良好に露光された画像を形成するにあたり利用可能な光エネルギーを増加させるために集積時間を任意に長くすることが不可能である機械視野／検査において、特に重要である。機械視野システムにおける集積時間の増加は、画像の周波数を減少させ、検査時間（結像時間）の全体を短縮させる。検査機の価値は一定時間内に結像され得る結像野の個数に依存するため、結像対象における光を最大化することは極めて重要な機能である。
【先行技術文献】
【特許文献】
【００１１】
【特許文献１】米国特許出願公開第２００８／０１２３０５２号明細書
【特許文献２】米国特許出願公開第２００４／０２５２２８１号明細書
【特許文献３】米国特許出願公開第２００５／０１７４６５８号明細書
【発明の概要】
【発明が解決しようとする課題】
【００１２】
本発明の目的は、明確に画定され且つ均一な照明野を照明エリアにおいて形成する能力を有するリングライト照明器を提供することである。加えて、リング照明器からの光は、効果的に収集され、照明エリアに誘導されるべきである。
【００１３】
この目的は、複数の光源を有するリングライト照明器により達成される。なお、このリングライト照明器においては、ビームシェーパーが各光源に対応し、このビームシェーパーは、
光源からの光を収集するための集光器と、
光源からの光に対する均一化手段と、
均一化手段の出力を照明エリアに結像するための結像手段と、
を備える。
【００１４】
本発明のさらなる目的は、取り付けが容易であり且つその諸部品の位置合わせが不必要であるビームシェーパーを提供することである。加えて、光源からの光は効果的に収集されるべきであり、結果として生じる結像レンズの切り取り損失（ｔｒｕｎｃａｔｉｏｎ  ｌｏｓｓｅｓ）は最少となるべきである。
【００１５】
この目的は、
光源からの光を収集するための集光器と、
光源からの光を均一化するための均一化棒状体と、
集光器の反対側にある均一化棒状体の端部を照明エリアに結像するためのレンズと、
を備える一体ピースとして製造されたビームシェーパーにより達成される。
【課題を解決するための手段】
【００１６】
本発明に係るリングライト照明器は、複数の環状に配列された光源を備える。好適な実施形態において、各光源は、発光ダイオード（ＬＥＤ）またはＬＥＤアレイである。本発明によれば、ビームシェーパーが各光源に対応する。このビームシェーパーは光源から光を受容し、照明野が照明エリアにおいて形成されるよう、光を照明エリアに誘導する。なお、この照明野は明確に画定された形状を有し、この照明野全域にわたる照明は、検査作業または照明作業に対して十分な程度に均一である。
【００１７】
ビームシェーパーは、集光器、均一化手段、および結像手段を備える。
【００１８】
集光器の目的は、光源から光を受容し、その光を均一化手段に誘導することである。集光器は、光源により放出された光が可能な限りの量において集光器により収集されて均一化手段上に誘導され、それにより十分な強度の照明野が照明エリアにおいてやがて達成されるよう、設計されることが好ましい。
【００１９】
均一化手段の目的は、照明野の光の強度がやがて十分に高い程度に均一化されるよう光ビーム全域にわたる光強度の不均一性を低減することである。
【００２０】
結像手段の目的は、均一化手段の出力を照明エリアに結像することである。照明野の寸法は、結像手段の結像特性に部分的に依存する。
【００２１】
１つの好適な実施形態において、均一化手段は、円形断面、楕円形断面、長方形断面、正方形断面、六角形断面、八角形断面、またはその他の断面の棒状体（ロッド）である。なお、本明細書において、断面はビームシェーパーの光軸に対して垂直である。この棒状体は第１端部および第２端部を有する。なお、光は第１端部を通して集光器から受容され、第２端部は光軸に沿って第１端部の反対側にあり、第２端部により棒状体から光が出る。棒状体の第２端部は、結像手段により、照明エリアに結像される。このようにして形成される照明野の形状は、棒状体の断面により決定される。棒状体の均一化機能は、光軸に平行な棒状体の側部からの光の反射、典型的には複数の反射によるものである。棒状体は、少なくとも照明に使用される光の波長に対して透明である物質から作られた中実片であり、反射は全反射であることが好ましい。代替的には、棒状体の側部は、反射コーティングが施されてもよく、または棒状体は、反射性の内側壁部を有する中空管であってもよい。本発明の特長は、本発明においてはＴＩＲレンズの集光効率と、ビームシェーパーの結像レンズの最少の切り取り損失とが組み合わされる点にある。
【００２２】
棒状体および集光器は、統合ユニットを形成し、特に、一体ピースとして製造されると、有利である。これにより、リングライト照明器の組み立てまたは維持において取り扱われる必要がある個々のパーツの個数が削減され、また、組み立てまたは維持の間に、集光器と棒状体とを適切に位置合わせする必要もなくなる。集光器、棒状体、および結像手段が統合ユニットを形成し一体ピースとして製造されると、さらに有利である。
【００２３】
いくつかの実施形態において、結像手段はレンズである。
【００２４】
代替的な実施形態において、均一化手段は集光器上に設けられたテクスチャである。
【００２５】
光源の動作により熱が生成されるため、リングライト照明器用の冷却機構が提供されると有利である。いくつかの実施形態においては、この冷却機構は、リングライト照明器の環境との熱交換のための外側表面が増加するよう、リングライト照明器の外側表面上に設けられた冷却フィンを備える。
【００２６】
本発明に係るリングライト照明器に用いられ得るが他の目的のためにも用いられ得る、本発明に係るビームシェーパーは、光学系の組み立ての間にビームシェーパーの複数のパーツを適切に位置合わせする必要がないよう、一体ピースとして製造される。取り扱われる必要があるパーツの個数も、このようにすれば削減される。ビームシェーパーは、ビームシェーパーが使用される光波長に対して透明である物質から作られる。いくつかの実施形態において、係る物質は、例えば、プラスチック材料またはガラスである。
【００２７】
ビームシェーパーを成形するための１つの可能な物質はアクリル樹脂であり、他の可能な物質はポリカーボネートであり得る。アクリル樹脂はポリカーボネートよりも透過性には優れるが、高温に対する耐性には劣る。アクリル樹脂の使用は、照明源が過度の熱をあまり生成しない用途に対しては、問題ないであろう。アクリル樹脂における透過損失は、１ｍｍあたりおよそ０．２５％である。これは、すなわち、全長６７ｍｍのビームシェーパーの場合１５％の損失が生じることを意味する。
【００２８】
本発明に係るビームシェーパーは、ビームシェーパーとともに用いられる光源からの光を収集するよう構成された集光器を備える。ビームシェーパーは、ビームシェーパーの光軸に沿う方向に向けられた均一化棒状体も備える。集光器は、集光器が収集した光を、棒状体の第１端部を通して棒状体に誘導するよう配列される。棒状体は、棒状体の側部からの光の反射、典型的には複数の反射により、棒状体を通過する光の均一化をもたらす。この反射は全反射である。ビームシェーパーは、第１端部の反対側にある棒状体の第２端部を照明エリアに結像するレンズをさらに備える。
【００２９】
いくつかの実施形態において、ビームシェーパーの光軸に垂直である棒状体の断面は、円形、楕円形、三角形、正方形、長方形、六角形、八角形、または他の任意の形状であり得る。
【００３０】
本発明は、顕微鏡を用いて検査されるエリアの、特に暗視野型の、明確に画定された照明を確保する顕微鏡において具体化され得る。顕微鏡は、上述の本発明に係る少なくとも１つのリングライト照明器を備える。少なくとも１つのリングライト照明器において用いられるビームシェーパーは、上述の本発明に係る一体ピース型であり得るが、代替的には、２つ以上のピースとして提供される、集光器、均一化手段、および結像手段を備えてもよい。
【００３１】
本発明の動作の性質およびモードは、本発明の以下の詳細な記述において、以下の添付の図面と併せることにより、より詳しくこれ以後説明されるであろう。
【図面の簡単な説明】
【００３２】
【図１ａ】光ファイバの端部が環状に配置された、先行技術に係るリングライト照明器を示す図である。
【図１ｂ】光源が環状に配置された、先行技術に係るリングライト照明器を示す図である。
【図２】図１ｂに示す先行技術に係るリングライト照明器を用いて達成され得る強度分布を示す図である。
【図３】ＴＩＲレンズおよび光線、並びにＴＩＲレンズにより表面上に形成された強度分布を示す図である。
【図４】非球形集光レンズおよび光線、並びに非球形集光レンズにより表面上に形成された強度分布を示す図である。
【図５】複合レンズおよび光線、並びに複合レンズにより表面上に形成された強度分布を示す図である。
【図６】本発明に係るビームシェーパーおよび光線を示す図である。
【図７】図６に示すビームシェーパーにより表面上に形成された強度分布を示す図である。
【図８】本発明に係るリングライト照明器を用いて達成され得る強度分布を示す図である。
【図９】本発明に係るビームシェーパーの斜視図である。
【図１０ａ】集光器および均一化棒状体の斜視図である。
【図１０ｂ】図１０ａに示す集光器および均一化棒状体の他の斜視図である。
【図１１】均一化棒状体を有する集光器のキャビティに導入された光源を示す図である。
【図１２】集光器におけるキャビティの上面図である。
【図１３】本発明に係るリング照明器を構成するためにリング状に配列された複数のビームシェーパーの可能な実装の１つの実施形態を示す図である。
【発明を実施するための形態】
【００３３】
同一の参照番号は、様々な図面を通じて、同一の要素を参照する。さらに、それぞれの図面の説明に必要な参照番号のみが図面において示される。本明細書に示す実施形態は、本発明がいかにして実施され得るかの実施例を表すのみである。このことにより、本発明が限定されるとみなしてはならない。
【００３４】
図１ａは先行技術に係るリングライト照明器１０の構成を示す。アーク灯１２が光源として用いられ、アーク灯１２からの光は、好適な光学エレメント１３により、複数の光ファイバ１１に連結される（１つの係る光学エレメントのみが図示される）。光ファイバ１１の端部１４は、端部１４が、アーク灯１２からの光を、坦持体１７（キャリヤー）により囲まれる照明エリア１５に向かって放出するよう、リングライト照明器１０のリング形状の坦持体１７において環状に配列される。円錐１６により示されるように、かなりの発散を有する光が端部１４から放出される。これは、すなわち、多くの精密な用途に対しては、発散が大きすぎることを意味する。
【００３５】
図１ｂは先行技術に係るリング照明器２０の他の構成を示す。環状坦持体２７において、複数の光源２２が環状に配列される。光源２２は照明エリア１５に向かって光を放出する。光源はＬＥＤである。なお、ＬＥＤには、典型的に、ＬＥＤから放出された光を予め定められた方向の周りに集中させるための形成光学素子（図示せず）が提供される。円錐２６により示されるように、形成光学素子の存在にも関わらず、単一の光源からの光は、多くの精密な用途に対しては大きすぎる発散を呈する。本発明に係るリングライト照明器は、図示の先行技術に係るリングライト照明器と同一の全般的構成を有する。しかし、先行技術に係る形成光学素子は、以下に説明する構成の本発明に係るビームシェーパーと置き換えられる。
【００３６】
図２は、形成光学素子としてＴＩＲレンズ（図３参照）を有する８つの光源を備える、図１ｂの状況で説明されるリング照明器２０を用いて達成される強度分布１を示す。照明パターンはむしろ拡散的である。示された画像の中央領域は、円錐２６のうちの１つにより照明される領域よりも、わずかに明るいのみである。このことは、強度のかなりの量が、照明エリア１５の中央部に向かってよりも、むしろ、画像において示されたエリアの中央から外れた領域に誘導されていることを意味する。図１ａの状況で説明されるリング照明器１０を用いて達成される強度分布も同様である。
【００３７】
図３はＴＩＲ（ｔｏｔａｌ  ｉｎｔｅｒｎａｌ  ｒｅｆｌｅｃｔｉｏｎ：全反射）レンズ２３を示す。ここではＬＥＤである光源２２からの光線１００により示される光は、ＴＩＲレンズ２３により捕捉され、スポット１１０に誘導される。光の誘導は、２つの原理により達成される。すなわち、ＴＩＲレンズ２３の中央部を占める屈折レンズ部分２４は屈折により光線１００をスポット１１０に誘導する。屈折レンズ部分２４にはヒットしないがＴＩＲレンズ２３により捕捉される光線１００は、ＴＩＲレンズ２３の側部表面２５からの全反射によりスポット１１０に誘導される。ＴＩＲレンズ２３の光軸１９に垂直な表面上のスポット１１０の強度分布２も、図３に示される。ＴＩＲレンズ２３により形成される強度分布２は略ガウス分布であり、したがって、最大強度はスポット１１０の中央部に存在するが、強度が次第に減少していく広い領域が中央部の周囲に存在する。すなわち、スポット１１０には明確に画定された縁部が存在しない。本明細書で説明するＴＩＲレンズ２３は、図１ｂの状況で説明した先行技術に係るリング照明器２０に対する形成光学素子として用いられ得る。スポット１１０の強度分布２が明確に画定された縁部を有さないことは、光源２２およびＴＩＲレンズ２３の８つの係る組み合わせにより形成される強度分布１が図２から明らかなようにむしろ拡散する理由である。
【００３８】
図４は、非球形集光レンズ３３および光線１００を示す。この構成における光源として、ＬＥＤのエミッタ３２が概略的に示される。非球形集光レンズ３３は、光源からの光を捕捉し、捕捉した光をスポット１１０に誘導する。集光レンズ３３の光軸１９に垂直な表面上のスポット１１０の強度分布３も図４に示される。なお、この強度分布３はＬＥＤ光エミッタ３２の画像である。この場合におけるように直接的にＬＥＤ光エミッタ３２を結像することは、高い非均一性リスクをスポット１１０の照明に導入する。したがって、光源としてＬＥＤおよび形成光学素子として非球形集光レンズ３３を有する図１ｂに示すタイプのリングライト照明器２０により照明エリアにおいて形成される強度分布の均一性は、精密の用途に対して十分であることが保証されない。さらに、一般に、図４に示す非球形集光レンズ３３の集光効率は、図３に示すＴＩＲレンズ２３の集光効率よりも低い。
【００３９】
図５は、光線１００により示される光を光源４２から収集するための半球レンズ４１と、光をスポット１１０上に誘導するリレーレンズ４３と、を備える複合レンズ４０を示す。複合レンズ４０の光軸１９に垂直な表面上のスポット１１０の強度分布４も図５に示される。なお、この強度分布４は、光源４２に面する半球レンズ４１の平坦背部表面の画像である。係る設定は、図３で説明したＴＩＲレンズ２３よりも低い集光効率を有し、封入ＬＥＤとは互換性がない。この点は、図１ｂに示すリングライト照明器２０等の光学系を組み立てる際に不利である。
【００４０】
図６は、集光器６０、均一化棒状体７０、円錐区域５２、およびレンズ８０を備えるビームシェーパー５０を示す。光源（図示せず）は集光器６０内に挿入され、光線１００により示される光を放出する。集光器６０は光源からの光を収集し、その光を、均一化棒状体７０の第１端部７１を通して、均一化棒状体７０に誘導する。均一化棒状体７０において、光は、均一化棒状体の側部表面７３からの反射、典型的には複数の反射により均一化される。ビームシェーパー５０は、ビームシェーパー５０がその波長とともに使用されることが意図される光の波長に対して透明である、例えばプラスチック材料またはガラス等の、物質から一体ピースとして製造され、側部表面７３からの反射は全反射である。光は、均一化棒状体７０の第２端部７２を通って均一化棒状体７０から出て円錐区域５２に入る。光は、円錐区域５２からレンズ８０に到達し、このレンズ８０は光をスポット１１０上に誘導する。スポット１１０の強度分布は、均一化棒状体７０の第２端部７２の画像である。円錐区域５２の目的は、均一化棒状体７０の第２端部７２とレンズ８０との間の距離を一定に保つことである。ビームシェーパー５０が一体ピースとして製造されるため、個々の構成品、すなわち集光器６０、均一化棒状体７０、およびレンズ８０の位置合わせは、光学系を組み立てるときに不必要となる。このことにより、ビームシェーパー５０の取り扱い、および例えば図１ｂに示すリングライト照明器２０等の光学系の組み立てが、先行技術とは異なり、簡略化される。一方、ＴＩＲレンズよりもむしろ先ほど検討したビームシェーパー５０が、本発明に係るリングライト照明器の実施形態において、形成光学素子として用いられる。ビームシェーパー５０は、勿論、他の照明作業に対しても用いられ、リングライト照明に限定されない。
【００４１】
図７は、図６に示すビームシェーパー５０の光軸１９に垂直な表面上の、ビームシェーパー５０により形成されるスポット１１０の強度分布５を示す。スポット１１０の形状は、均一化棒状体７０の断面により、より正確には第２端部７２の断面により、決定される。示された実施形態においては、この断面は八角形状を有する。前述のように、異なる形状の断面も可能である。スポット１１０が明確に画定された縁部を示すこと、および均一化棒状体７０の効果によりスポット１１０全域にわたる照明強度が、高度に精密な用途に対してさえも十分に均一であることに、注意すべきである。
【００４２】
図８は、この図８に関連する実施形態において、図６の状況で説明したタイプの８つのビームシェーパー５０を形成光学素子として備える、本発明に係るリング照明器を用いて達成され得る強度分布６を示す。図８は、図２と対比されるべきである。ビームシェーパー５０により形成された光ビームの縁部が明確に画定され、それにより、図７に示すスポット１１０の縁部が明確に画定されるために、図８において、照明エリア１５は、その周囲よりも顕著に明るい。
【００４３】
図９は、すでに図６に示した本発明に係るビームシェーパー５０の斜視図を示す。図９において、レンズ８０を出る光線１００が図示される。係るビームシェーパー５０の構成については、図６の状況においてすでに説明した。集光器６０は、光源（図示せず）が導入されるキャビティ６１を示す。集光器６０の全般的な構成は、図３に示すＴＩＲレンズ２３の全般的な構成に相当する。結像用のレンズ８０の直径８２が、リング照明器２０において配列されるビームシェーパー５０の個数を支配する。レンズ８０は、均一化棒状体７０の第２端部７２を通って均一化棒状体７０を出る光をスポット１１０上に結像する射出表面８４を有する。結像用のレンズ８０の射出表面８４は非球面であることが推奨される。
【００４４】
図１０ａおよび図１０ｂは、図６および図９に示す本発明に係るビームシェーパー５０のために用いられる、もしくは、いくつかのピースで構成され得る本発明に係るリングライト照明器用の形成光学素子において用いられる、集光器６０の斜視図である。集光器６０に取り付けられた均一化棒状体７０の１部分のみが図示される。ここで棒状体７０は六角形断面を有し、集光器６０の形状は、棒状体７０の断面に適合され、また、棒状体７０の第１端部７１に近接する部分において六角断面を示す。図１０ｂは、典型的にはＬＥＤである光源（図示せず）が挿入される、集光器６０のキャビティ６１を明らかに示す。
【００４５】
図１１は、集光器６０の断面図と、均一化棒状体７０の１部分とを示す。ＬＥＤ６２は集光器６０のキャビティ６１内に導入される。図３のＴＩＲレンズ２３と同様に、集光器６０は、光軸６６周りの中央領域に放出された光を収集する屈折レンズ部分６４を示す。この領域の断面は、屈折レンズ部分６４の形状および寸法により決定される。ＬＥＤにより中央領域の外側領域に放出された光は、集光器６０の側部表面６５からの全反射により、均一化棒状体７０に誘導される。
【００４６】
図１２は、図１１に示すＬＥＤ６２等の光源が挿入される、集光器６０におけるキャビティ６１の上面図である。キャビティ６１および屈折レンズ部分６４は六角形断面を有する。
【００４７】
図１３は、本発明に係るリング照明器２０を形成するためにリング状に配列された複数のビームシェーパー５０の可能な実装の１つの実施形態を示す。リング照明器２０において配列された複数のビームシェーパー５０は、照明エリア１５に対して均一な照明を提供する。レンズ８０の直径８２（図９参照）は、リング照明器２０において配列されるビームシェーパー５０の個数を支配する。図１３に示す実施形態において、レンズ８０の直径８２は３０ｍｍであり、それにより、およそ２４個のビームシェーパー５０がリング照明器２０において配列されることとなる。
【００４８】
本発明について、特定の実施形態を参照して説明してきた。しかし、様々な改変例および修正例が、後に挙げる請求項の範囲から逸脱することなく可能であることは、当業者には明白であろう。
【符号の説明】
【００４９】
１，２，３，４，５，６  強度分布、１０，２０  リングライト照明器、１１  光ファイバ、１２  アーク灯、１３  光学エレメント、１４  光ファイバの端部、１５  照明エリア、１６，２６  光の円錐、１７，２７  坦持体、１９，６６  光軸、２２，４２  光源、２３  ＴＩＲレンズ、２４，６４  屈折レンズ部分、２５，６５  側部表面、３２  ＬＥＤエミッタ、３３  非球形集光レンズ、４０  複合レンズ、４１  半球レンズ、４３  リレーレンズ、５０  ビームシェーパー、５２  円錐区域、６０  集光器、６１  キャビティ、６２  ＬＥＤ、７０  均一化棒状体、７１  均一化棒状体の第１端部、７２  均一化棒状体の第２端部、７３  均一化棒状体の側部表面、８０  レンズ、８２  レンズの直径、８４  射出表面、１００  光線、１１０  スポット。
【図１ａ】
2013525856.tif 000003
【図１ｂ】
2013525856.tif 000004
【図２】
2013525856.tif 000005
【図３】
2013525856.tif 000006
【図４】
2013525856.tif 000007
【図５】
2013525856.tif 000008
【図６】
2013525856.tif 000009
【図７】
2013525856.tif 000010
【図８】
2013525856.tif 000011
【図９】
2013525856.tif 000012
【図１０ａ】
2013525856.tif 000013
【図１０ｂ】
2013525856.tif 000014
【図１１】
2013525856.tif 000015
【図１２】
2013525856.tif 000016
【図１３】
2013525856.tif 000017
【国際調査報告】
2013525856.tif 000018
2013525856.tif 000019